(57)【要約】一態様において、透析システムは、透析患者へ流体を、かつ透析患者からの流体を輸送するための１つまたは複数のチューブと、ディスプレイと、１つまたは複数のプロセッサとを含む。１つまたは複数のプロセッサは、透析システムのユーザの識別を決定するように構成されている。ユーザの決定された識別に基づいて、１つまたは複数のプロセッサは、ユーザに関連するユーザインタフェース構成プロファイルにアクセスし、ユーザインタフェースをディスプレイ上に表示させる。ユーザインタフェースは、呼び出されると透析システムに透析操作を実行させる１つまたは複数の制御を含む。ユーザインタフェースは、ユーザの識別に少なくとも部分的に基づいてディスプレイ上に表示される。
2018538049.tif 000002
【特許請求の範囲】
【請求項１】
透析システムであって、前記透析システムは、
透析患者へ流体を、かつ透析患者からの流体を輸送するための１つまたは複数のチューブと、
ディスプレイと、
１つまたは複数のプロセッサであって、
前記透析システムのユーザの識別を決定し、
前記ユーザの決定された識別に基づいて、前記ユーザに関連するユーザインタフェース構成プロファイルにアクセスし、
ユーザインタフェースであって、呼び出されると前記透析システムに透析操作を実行させる１つまたは複数の制御を含むユーザインタフェースを前記ディスプレイ上に表示させるように構成された１つまたは複数のプロセッサと、
を含み、
前記ユーザインタフェースは、前記ユーザの識別に少なくとも部分的に基づいて前記ディスプレイ上に表示される、透析システム。
【請求項２】
前記１つまたは複数のプロセッサと通信するように構成された１つまたは複数のセンサであって、前記ユーザを識別するために使用できる識別情報を検出するように構成された１つまたは複数のセンサを含む、請求項１に記載のシステム。
【請求項３】
前記識別情報は、顔認識、ＲＦＩＤプロトコルに従って送信されるデータおよびＢｌｕｅｔｏｏｔｈ（登録商標）プロトコルに従って送信されるデータのうちの１つまたは複数を使用して検出される請求項２に記載のシステム。
【請求項４】
前記１つまたは複数のプロセッサは、
センサから、前記ユーザの１つまたは複数の顔の特徴を表す第１のデータを受信し、
前記透析システムの一人以上の認定されたユーザの顔の特徴を表す第２のデータをデータ記憶デバイスから受信し、
受信された第１および第２のデータに基づいて前記ユーザが前記透析システムの認定されたユーザであることを決定し、そして、
認定されたユーザに関連するユーザインタフェース構成プロファイルのデータベースシステムに、認定されたユーザに関連するユーザインタフェース構成プロファイルの要求を通信する
ように構成されており、
前記ユーザインタフェースは、ユーザインタフェース構成プロファイルによって定義された構成でディスプレイに表示させる、請求項２または３に記載のシステム。
【請求項５】
前記ユーザインタフェースは、前記透析システムにてトリガされたアラームに基づいてディスプレイ上に表示させる、請求項１乃至４のいずれか一項に記載のシステム。
【請求項６】
前記ユーザインタフェースは、前記透析システムの１つまたは複数の動作パラメータを含む、請求項１乃至５のいずれか一項に記載のシステム。
【請求項７】
前記１つまたは複数のプロセッサは、前記透析システムの動作パラメータを同透析システムの外部にあるデバイスに通信するように構成されている、請求項６に記載のシステム。
【請求項８】
前記１つまたは複数のプロセッサは、前記ユーザの識別を表すデータを、前記透析システムの外部にあるデバイスに通信するように構成されている、請求項１乃至７のいずれか一項に記載のシステム。
【請求項９】
前記１つまたは複数のプロセッサは、透析装置の管理者の識別を決定し、前記管理者による受信のために前記ユーザの識別を表すデータを通信するように構成されている、請求項８に記載のシステム。
【請求項１０】
前記透析システムは腹膜透析（ＰＤ）装置を含み、前記流体は透析液を含む、請求項１乃至９のいずれか一項に記載のシステム。
【請求項１１】
前記透析システムは血液透析（ＨＤ）装置を含み、前記流体は血液を含む、請求項１乃至９のいずれか一項に記載のシステム。
【請求項１２】
透析システムのユーザの識別を決定するステップと、
前記ユーザの決定された識別に基づいて、前記ユーザに関連するユーザインタフェース構成プロファイルにアクセスするステップと、
ユーザインタフェースであって、呼び出されると前記透析システムに透析操作を実行させる１つまたは複数の制御を含むユーザインタフェースをディスプレイ上に表示させるステップと、
を含む方法において、
前記ユーザインタフェースは、前記ユーザの前記識別に少なくとも部分的に基づいている、方法。
【請求項１３】
前記識別は、顔認識、ＲＦＩＤプロトコルに従って送信されるデータおよびＢｌｕｅｔｏｏｔｈ（登録商標）プロトコルに従って送信されるデータのうちの１つまたは複数を使用して受信されるデータに基づいて決定される、請求項１２に記載の方法。
【請求項１４】
前記ユーザインタフェースは、前記透析システムにてトリガされたアラームに基づいて前記ディスプレイ上に表示させる、請求項１２乃至１３のいずれか一項に記載の方法。
【請求項１５】
前記ユーザインタフェースは、前記透析システムの１つまたは複数の動作パラメータを含む、請求項１２乃至１４のいずれか一項に記載の方法。
【請求項１６】
前記透析システムは腹膜透析（ＰＤ）装置を含み、前記流体は透析液を含む、請求項１２乃至１５のいずれか一項に記載の方法。
【請求項１７】
前記透析システムは血液透析（ＨＤ）装置を含み、前記流体は血液を含む、請求項１２乃至１５のいずれか一項に記載の方法。
【発明の詳細な説明】
【技術分野】
【０００１】
本願の記載は透析装置、より具体的には透析装置のユーザインタフェースを設定することに関する。
【背景技術】
【０００２】
腎機能障害または腎不全、特に末期腎疾患は、水およびミネラルを除去し、有害な代謝産物を排泄し、酸−塩基バランスを維持し、そして生理学的範囲内で電解質およびミネラル濃度を制御する能力を、身体から消失させる。尿素、クレアチニン、および尿酸を含む有毒な尿毒性代謝廃棄物が体内の組織に蓄積し、それらは腎臓の濾過機能により置換されない場合、ヒトの死を招く可能性がある。
【０００３】
これらの毒性老廃物および過剰の水分を除去することにより腎機能を戻すために透析が一般的に用いられる。ある種の透析処置−血液透析（ＨＤ）−では、毒素は血液透析装置にて患者の血液から外部的に濾過される。血液は、患者から透析装置を介して通過し、透析装置は、多量の外部から供給された透析溶液と半透膜によって分離されている。廃棄物および毒素は、血液から半透膜を通って透析溶液に透析され、同透析溶液は一般に廃棄される。
【０００４】
血液透析中に使用される透析溶液または透析液は、典型的には、塩化ナトリウム並びに塩化カルシウムまたは塩化カリウムのような他の電解質、重炭酸塩または酢酸塩のような緩衝物質、および生理学的ｐＨを確立するための酸を含み、それに加えて、任意選択にてグルコースまたは別の浸透圧剤を含む。
【０００５】
別の種類の透析処置は、患者自身の腹膜、腹部の体腔の膜裏を利用する腹膜透析（ＰＤ）である。腹膜は、その良好な灌流特性により、患者の腹腔内に一時的に導入されるＰＤ溶液として知られているある種の透析液に水および老廃物を移すための、天然の半透膜として作用することができる。患者の腹部にアクセスポートが埋め込まれ、ＰＤ溶液は通常は患者ラインを通って患者の腹部にポンプによって注入され、一定時間滞留してから排出される。この手順は、通常、完全な処置を行うために複数回繰り返される。自動化ＰＤ（ＡＰＤ）装置または連続携行型ＰＤ（ＣＡＰＤ）装置などのＰＤ装置は、ＰＤプロセスを容易にする、または制御するように設計されており、それにより臨床スタッフが立ち会うことなく自宅で同手順を行うことができる。
【０００６】
透析装置は、通常、入力を受承し、ユーザに情報を提供するためのインタフェースを備えている。
【発明の概要】
【課題を解決するための手段】
【０００７】
１つの態様では、透析システムは、透析患者への、そして透析患者からの流体を輸送するための１つまたは複数のチューブと、ディスプレイと、１つまたは複数のプロセッサと、を含む。１つまたは複数のプロセッサは、透析システムのユーザの識別（ｉｄｅｎｔｉｔｙ）を決定するように構成される。決定されたユーザの識別に基づいて、１つまたは複数のプロセッサは、ユーザに関連するユーザインタフェース構成プロファイルにアクセスし、ユーザインタフェースをディスプレイ上に表示させる。ユーザインタフェースは、呼び出されると透析システムに透析操作を実行させる１つまたは複数の制御（ｃｏｎｔｒｏｌｓ）を含む。ユーザインタフェースは、ユーザの識別に少なくとも部分的に基づいてディスプレイ上に表示される。
【０００８】
別の態様では、方法は、透析システムのユーザの識別を決定するステップと、ユーザの決定された識別に基づいて、ユーザに関連するユーザインタフェース構成プロファイルにアクセスするステップとを含む。同方法はまた、ユーザインタフェースをディスプレイ上に表示させることを含み、ユーザインタフェースは、呼び出されると、透析システムに透析動作を実行させる１つまたは複数の制御を含む。ユーザインタフェースは、ユーザの識別に少なくとも部分的に基づいている。
【０００９】
実装形態には、以下の特徴の１つまたは複数を含めることができる。
いくつかの実装形態では、透析システムは、１つまたは複数のプロセッサと通信するように構成された１つまたは複数のセンサを含み、１つまたは複数のセンサは、ユーザを識別するために使用できる識別情報を検出するように構成される。
【００１０】
特定の実装形態では、識別情報は、顔認識、ＲＦＩＤプロトコルに従って送信されるデータ、およびＢｌｕｅｔｏｏｔｈ（登録商標）プロトコルに従って送信されるデータのうちの１つまたは複数を使用して検出される。
【００１１】
いくつかの実装形態では、１つまたは複数のプロセッサは、センサから、ユーザの１つまたは複数の顔の特徴を表す第１のデータを受信し、透析システムの１人以上の認定されたユーザの顔の特徴を表す第２のデータをデータ記憶デバイスから受信し、受信された第１および第２のデータに基づいてユーザが透析システムの認定されたユーザであることを決定し、そして、認定されたユーザに関連するユーザインタフェース構成プロファイルのデータベースシステムに、認定されたユーザに関連するユーザインタフェース構成プロファイルの要求を通信するように構成されている。ユーザインタフェースは、ユーザインタフェース構成プロファイルによって定義された構成でディスプレイに表示される。
【００１２】
特定の実装形態では、ユーザインタフェースは、透析システムにてトリガされたアラームに基づいてディスプレイ上に表示される。
いくつかの実装形態では、ユーザインタフェースは、透析システムの１つまたは複数の動作パラメータを含む。
【００１３】
特定の実装形態では、１つまたは複数のプロセッサは、透析システムの動作パラメータを透析システムの外部にあるデバイスに通信するように構成される。
いくつかの実装形態では、１つまたは複数のプロセッサは、ユーザの識別を表すデータを、透析システムの外部にあるデバイスに通信するように構成される。
【００１４】
いくつかの実装形態では、１つまたは複数のプロセッサは、透析装置の管理者の識別を決定し、管理者による受信のためにユーザの識別を表すデータを通信するように構成される。
【００１５】
いくつかの実装形態では、透析システムは、腹膜透析（ＰＤ）装置を含み、流体は透析液を含む。
特定の実装形態では、透析システムは血液透析（ＨＤ）装置を含み、流体は血液を含む。
【図面の簡単な説明】
【００１６】
【図１】血液透析システムの斜視図を示す。
【図２】腹膜透析システムの斜視図を示す。
【図３】複数の透析システムを含む施設を示す。
【図４Ａ】透析システムのディスプレイ上に表示される標準的なユーザインタフェースを示す。
【図４Ｂ】透析システムのディスプレイ上に表示されるユーザ設定されたユーザインタフェースを示す。
【図５Ａ】アラーム中に透析システムのディスプレイ上に表示される標準的なユーザインタフェースを示す。
【図５Ｂ】アラーム中に透析システムのディスプレイ上に表示されるユーザ設定されたユーザインタフェースを示す。
【図６】ユーザインタフェースのディスプレイを設定するプロセスのフローチャートである。
【図７】コンピュータシステムの一例を示す。
【発明を実施するための形態】
【００１７】
透析装置は、ユーザを自動的に検出し、そのユーザに特有の方法でユーザインタフェースを設定するように構成され得る。このようにして、ユーザが透析処置に立ち会うか、またはアラームに反応する能力を改善することができる。
【００１８】
現代の透析システムは、多くの場合、ディスプレイスクリーン上に表示されるコンピュータ化されたユーザインタフェースを有する。ユーザインタフェースは、ユーザインタフェースが設定される方法、製造業者および型などに応じて異なる場合がある。時として、ユーザは透析システムを使用するたびにユーザインタフェースを再設定する必要を要する場合がある。例えば、透析クリニックという状況では、ユーザは、多くの透析システムを有する施設で働く技術者または看護士であってもよい。家庭という状況では、ユーザは、透析患者または患者の介護者であってもよい。
【００１９】
しかしながら、透析システムがユーザを検出することができれば（例えば、ユーザがシステムに近接しているとき）、システムはユーザが期待するディスプレイ構成にディスプレイを自動的に変更することができる。結果として、ユーザは、施設内の任意の透析システムを、ディスプレイを再構成する必要なく、常に使用することができる。これにより、ユーザは馴染みのあるディスプレイ構成で作業することができ、それは、ユーザが医療アラームに応答している場合や、そうでなければ時間が最重要点である場合には特に重要であり得る。さらに、所望の動作パラメータおよび制御のみがユーザに提示され、それは、ディスプレイが乱雑に見えたり、ユーザが使用できない情報でユーザを混乱させたりすることを回避する。透析システムはまた、ユーザの識別、システム使用の時間および持続時間、および透析システムの操作パラメータを記録するように構成されてもよい。仮に知らないユーザが透析システムを使用しようとすると、監督者は通知を受けてもよい。
【００２０】
図１は、ユーザが携帯していてもよい識別（ＩＤ）カード１０５のような短距離無線デバイスと無線通信することによって、ユーザの識別を検出するように構成された血液透析システム１００の斜視図を示す。ユーザの識別に基づいて、ユーザインタフェースがディスプレイ１１８上に表示される。例えば、ユーザインタフェースは、ユーザに関連付けられたデータに基づいていてもよく、ユーザインタフェース構成プロファイルのデータベースに記憶されていてもよい。
【００２１】
血液透析システム１００は、血液回路を部分的に形成する使い捨ての血液成分セット１０４に接続された血液透析装置１０２を含む。血液透析処置中、オペレータは、血液成分セット１０４の動脈および静脈患者ライン１０６，１０８を患者に接続する。血液成分セット１０４は、空気は通過させるが液体は通過させない自己密閉式通気アセンブリを含む空気放出デバイス１１２を含む。その結果、処置中に血液回路を通過する血液が空気を含む場合、空気放出デバイス１１２は空気を大気中に放出するであろう。
【００２２】
血液成分セット１０４は、血液透析装置１０２の前面に取り付けられたモジュール１３０に固定される。モジュール１３０は、血液回路を通って血液を循環させることができる血液ポンプ１３２を含む。モジュール１３０はまた、血液回路を通って流れる血液を監視することができる様々な他の機器を含む。モジュール１３０は、図１に示すように、閉じたときに、モジュール１３０の前面と協働して、血液成分セット１０４を受承するようにサイズ化および形状化されたコンパートメントを形成するドアを含む。閉鎖位置では、ドアは、血液成分セット１０４のある種の血液成分を、モジュール１３０の前面に露出した対応する機器に押しつける。
【００２３】
オペレータは、血液ポンプ１３２を操作するために血液ポンプモジュール１３４を使用する。血液ポンプモジュール１３４は、表示ウィンドウ、開始／停止キー、アップキー、ダウンキー、レベル調整キー、および動脈圧ポートを含んでいてもよい。表示ウィンドウは、血液ポンプ操作中の血流量設定を表示する。開始／停止キーは、血液ポンプ１３２を始動および停止する。アップキーおよびダウンキーは、血液ポンプ１３２の速度を増減する。レベル調整キーは、動脈ドリップチャンバ内の流体レベルを上昇させる。あるいは、これらの制御は、タッチスクリーンアクセス可能ディスプレイ１１８上のグラフィカルユーザインタフェースの一部または全体に存在していてもよい。
【００２４】
血液透析装置１０２は、透析器１１０、様々な他の透析液成分、および血液透析装置１０２に接続された透析液ラインによって形成される透析液回路をさらに含む。これらの透析液成分および透析液ラインの多くは、血液透析装置１０２のハウジング１０３の内部にあり、従って図１では視認できない。処置中、血液ポンプ１３２にて血液回路を介して血液を循環させている間、透析液ポンプ（図示せず）が透析液回路を介して透析液を循環させる。
【００２５】
血液透析装置１０２には、透析液供給ライン１２６を介して透析液容器１２４が接続されている。ドレインライン１２８および限外濾過ライン１２９も血液透析装置１０２から延びている。透析液供給ライン１２６、ドレインライン１２８および限外濾過ライン１２９は、透析液回路の一部を形成する血液透析装置１０２のハウジング１０３内の様々な透析液成分および透析液ラインに流体接続される。血液透析の間、透析液供給ライン１２６は透析液容器１２４からの新鮮な透析液を血液透析装置１０２の内部に位置する透析液回路の部分に運ぶ。上記のように、新鮮な透析液は、透析器１１０を含む、透析液回路を形成する様々な透析液ラインおよび透析液成分を通って循環される。以下に説明するように、透析液が透析器１１０を通過するとき、透析液は患者の血液から毒素を回収する。得られた使用済み透析液は、透析液回路からドレインライン１２８を介してドレインに運ばれる。処置中に限外濾過が行われると、使用済み透析液（以下に説明する）と患者から抜き取られた余分な流体の混合物が限外濾過ライン１２９を通ってドレインに運ばれる。
【００２６】
透析器１１０は、患者の血液のためのフィルタとして機能する。透析液は、上記したように、血液と一緒に透析器１１０を通過する。透析器１１０内の半透過性構造（例えば、半透膜および／または半透過性マイクロチューブ）は、透析器１１０を通過する血液および透析液を分離する。この構成は、透析液が患者の血液から毒素を回収することを可能にする。透析器１１０を出る濾過された血液は、患者に戻される。透析器１１０を出る透析液は血液から取り除かれた毒素を含み、一般に「使用済み透析液」と称される。使用済み透析液は、透析器１１０からドレインに送られる。
【００２７】
薬物ポンプ１９２はまた、血液透析装置１０２の前面から延びている。薬物ポンプ１９２は、血液成分セット１０４のシリンジ１７８を保持するように構成されたクランプ機構を含むシリンジポンプである。薬物ポンプ１９２はまた、シリンジ１７８のプランジャをシリンジ１７８の軸に沿って移動させるように構成されているステッパモータを含む。ステッパモータの軸は、同ステッパモータが第１の方向に操作されると軸がプランジャをシリンジ内に押し込み、かつ第２の方向に操作されると、軸がプランジャをシリンジ１７８から引き出すように、プランジャに固定される。このように、薬物ポンプ１９２は、シリンジ１７８からの液体薬物（例えば、ヘパリン）を、使用中に薬物送達ライン１７４を介して血液回路に注入し、或いは使用中に薬物送達ライン１７４を介して液体を血液回路からシリンジ１７８内に引き込むために使用されてもよい。
【００２８】
血液透析装置１０２は、ディスプレイ１１８、制御パネル１２０、および通信モジュール１０７（例えば、近距離通信（ＮＦＣ）トランシーバ、センサまたはカメラ）から信号を受信し、そして信号を送信するように構成された制御ユニット１０１（例えば、プロセッサ）を含む。制御ユニット１０１は、サーバ（例えば、インターネットサーバ）、別の透析システム、または別のネットワークリソースと通信することもできる。様々な例では、サーバとのこの通信は、遠隔通信ネットワークによる無線通信を介していてもよく、サーバへの有線イーサネット（登録商標）接続を介していてもよく、および／または、例えばＵＳＢドライブを使用するようなサーバと透析システム１００との間のコンピュータ可読媒体の物理的転送を介していてもよい。制御ユニット１０１は、ディスプレイ１１８、制御パネル１２０、および通信モジュール１０７によって受信された信号に少なくとも部分的に基づいて血液透析装置１０２の動作パラメータを制御する。
【００２９】
ディスプレイ１１８は、患者のバイタルサイン、透析処置の操作パラメータ、および血液透析プロセスに関連する制御を含むことができるユーザインタフェースをユーザに提示する。例えば、操作パラメータは、限外濾過パラメータ、血液ポンプ速度および透析液に関連する情報、ヘマトクリット警告レベル、血圧アラームリミット、薬剤注入パラメータなどを含むことができる。ディスプレイ１１８は、ユーザが血液透析装置１０２と交流し、制御するためのタッチスクリーンを含み得る。例えば、ユーザは、血液透析プロセスに関連する様々な処置パラメータを入力することができる。
【００３０】
通信モジュール１０７は、短距離無線デバイス（例えば、ＩＤカード１０５）を検出し、デバイスがその無線通信範囲内にあるときに通信するように構成される。通信モジュール１０７とＩＤカード１０５との間の通信は、短距離無線技術プロトコル、例えばブルートゥース（登録商標）プロトコルまたはＲＦＩＤプロトコル、例えばＮＦＣプロトコルによって容易にされる。ＩＤカード１０５は、透析装置１０２のユーザに関連付けられているので、通信モジュール１０７は、ユーザの識別に関連する情報を検出する。通信モジュール１０７は、ユーザに関連する情報を制御ユニット１０１に伝達する。これに応答して、制御ユニット１０１は、以下により詳細に説明するように、血液透析装置１０２に動作を行わせることができる。同様に、ＩＤカード１０５が通信モジュール１０７の無線通信範囲外に出た場合（例えば、ＩＤカード１０５が通信モジュール１０７の無線通信範囲内から出た場合、或いはＩＤカード１０５が通信モジュール１０７の無線通信範囲内にない場合）、通信モジュール１０７は、ユーザが存在しないことを示す信号を制御ユニット１０１に送信することができる。それに応答して、制御ユニット１０１は、血液透析装置１０２に動作を行わせることができる。
【００３１】
通信モジュール１０７は、例えば、顔認識、掌紋／指紋及び虹彩認識を含むことができる生体認証プロセスを通じて、ユーザの識別に関連する情報を検出することもできる。通信モジュールは、ユーザの顔、指／掌、または眼の画像を撮影し、画像に関連付けられた情報を使用してユーザを識別することができるセンサ（例えば、カメラ）を含むことができる。これは、画像に関連する情報をデータベース内のユーザプロファイル情報と比較することによって達成することができる。
【００３２】
制御ユニット１０１は、ユーザの識別に関連する情報を通信モジュール１０７から受信し、データベースに記憶された複数のユーザのユーザインタフェース構成プロファイルと比較する。データベースは、透析システム１００に関連する記憶デバイスに記憶されてもよく、または外部記憶デバイス（例えば、異なる透析システムに関連するサーバまたは記憶デバイス）に配置されていてもよい。比較に基づいて、制御ユニット１０１は、ユーザのユーザインタフェース構成プロファイルを受信し得る。ディスプレイに表示されるユーザインタフェースは、検索されたユーザインタフェース構成プロファイルに基づいている。例えば、ユーザインタフェースを構成する操作パラメータおよび透析制御は、検索されたユーザインタフェース構成プロファイルから決定される。さらに、ユーザの識別およびユーザの監督者の識別も表示することができる。
【００３３】
制御ユニット１０１は、ユーザの識別または透析装置１０２の動作パラメータ、またはその両方に関連する情報を記憶デバイスまたはモバイルデバイスに伝達することができる。例えば、制御ユニット１０１は、ユーザの識別を監督者に伝達することができる。制御ユニット１０１は、ユーザに関連するユーザインタフェース構成プロファイルから監督者を識別することができる。監督者との通信は、テキストメッセージ、電子メール、ソーシャルメディアタイプのポスティング、またはボイスメールの形式で、監督者に関連付けられたモバイルデバイスに行うことができる。代替的に或いは付随的に、ユーザの識別に関連する情報をデータベースに記憶することができる。ユーザの識別および操作パラメータを記憶または伝達することにより、透析プロセスを追跡することができる。例えば、ユーザが透析手順を正しく実行しない場合、監督者は介入することができる。別の例では、仮に権限のないユーザがシステムを使用しようとする場合、監督者は権限のないユーザによって加えられた変更を元に戻すことができる。
【００３４】
制御ユニット１０１は、ユーザインタフェース構成プロファイルを追加または変更するように構成されていてもよい。ユーザは、ユーザに関連する短距離無線デバイス、例えばＩＤカード１０５を登録し、所望のユーザインタフェース構成プロファイルを入力することができる。これは、ディスプレイ１１８上のタッチスクリーン、コントロールパネル１２０、または透析システム１００の一部ではないキオスクを通して行うことができる。
【００３５】
制御ユニット１０１は、血液透析システム１００内のアラームを検出し、そのアラームに基づいて、ディスプレイに表示されるユーザインタフェースを変更するように構成されてもよい。アラームは、動作パラメータの値が基準を満たしたときに発生する可能性がある。例えば、透析液の導電率が一定値を超えたときにアラームが発生することがある。これは、看護師からの即時の注意を必要とする可能性があり、したがって、ディスプレイ上に表示されるユーザインタフェースは、看護師によって期待される形態および／または看護師が熟知している形態に変更されてもよい。このプロセスについては、後で詳しく説明する。
【００３６】
図２は、カート２０４に据え付けられたＰＤ循環器（ＰＤ機とも称される）２０２を含む腹膜透析（ＰＤ）システム２００の斜視図を示す。ＰＤ循環器２０２は、ハウジング２０６、ドア２０８、およびカセットインタフェース（図示せず）を含み、同カセットインタフェースは、カセットインタフェースと閉じたドア２０８との間に形成されたカセットコンパートメント内に使い捨てＰＤカセット２１２が配置されたときに同使い捨てＰＤカセット２１２に接触する。ヒータトレイ２１６がハウジング２０６の頂部に配置される。ヒータトレイ２１６は、透析液のバッグ（例えば透析液の５リットルのバッグ）を収容するような大きさ及び形状である。ＰＤ循環器２０２はまた、ＰＤ処置のセットアップ、開始および／または終了を可能にするためにユーザ（例えば、患者）によって操作され得るディスプレイ２１８および追加のコントロールパネル２２０を含む。
【００３７】
透析液バッグ２２２は、カート２０４の側面にて、フィンガから懸架され、ヒータバッグ２２４は、ヒータトレイ２１６内に配置される。透析液バッグ２２２およびヒータバッグ２２４は、透析液バッグライン２２６およびヒータバッグライン２２８を介してカセット２１２にそれぞれ接続されている。透析液バッグライン２２６は、使用時に、透析液バッグ２２２からカセット２１２に透析液を通すために使用することができ、ヒータバッグライン２２８は、使用時に、透析液をカセット２１２とヒータバッグ２２４の間で往復させるために使用することができる。さらに、患者ライン２３０およびドレインライン２３２がカセット２１２に接続されている。患者ライン２３０は、カテーテルを介して患者の腹部に接続することができ、使用時に、透析液をカセット２１２と患者の腹膜腔との間で往復させるために使用することができる。ドレインライン２３２は、ドレインまたはドレインレセプタクルに接続することができ、使用中にカセット２１２からドレインまたはドレインレセプタクルに透析液を送るために使用することができる。
【００３８】
ＰＤシステム２００は、血液透析システム１００と同様に、制御ユニット２０１、互いに通信可能なディスプレイ２１８および通信モジュール２０７と、短距離無線デバイス（例えば、ＩＤカード１０５）とを含む。血液透析システム１００に関連して説明した場合と同様に、ＰＤシステム２００は、制御ユニット２０１および通信モジュール２０７などのコンポーネントを使用して、ユーザの識別に関連する情報を検出し、ユーザインタフェース構成プロファイルに基づいてディスプレイ２１８に表示されるユーザインタフェースを変更することができる。ＰＤシステム２００は、ＰＤシステムまたは外部記憶デバイス（例えば、サーバ）に関連付けられた記憶デバイスに記憶することができるユーザインタフェース構成プロファイルをユーザが追加または変更することを可能にする。また、ＰＤシステム２００の制御ユニット２０１は、ＰＤシステム２００内のアラームに基づいてディスプレイに表示されるユーザインタフェースを変更することができる。
【００３９】
図３は、複数の透析システム３０５ａ〜ｄおよび中央サーバ３１０を含む施設３００の一例を示す。透析システム３０５ａ〜ｄは、互いにおよび中央サーバ３１０と通信することができる。一実装形態では、ユーザインタフェース構成プロファイルのデータベースは中央サーバ３１０に記憶され得る。透析システム（例えば、透析システム３０５ａ）がユーザを検出すると、サーバに記憶されたデータベースからユーザに関連するユーザインタフェース構成プロファイルを取り出すことができる。透析システムはまた、サーバに記憶されたデータベースのユーザインタフェース構成プロファイルを追加または変更することができる。第１の透析システム（例えば３０５ａ）で作業しているユーザが別の透析システム（例えば３０５ｂ）によって検出されると、第２の透析システムのディスプレイのユーザインタフェースは、ユーザのユーザインタフェース構成プロファイルに基づいて再設定される。さらに、ユーザは、第１の透析装置からログアウトすることができる。透析システムがユーザを検出すると、ユーザの識別に関連する情報は、外部デバイス、例えば、携帯電話３１５または中央サーバ３１０、またはその両方に送信することができる。付随的に、手術パラメータおよび透析の制御に関連するデータは、外部デバイスまたは中央サーバ、またはその両方に送信されてもよい。
【００４０】
前述したように、ユーザインタフェースは、透析装置のディスプレイ上に表示され、患者のバイタルサイン、透析処置の操作パラメータ、および透析プロセスに関連する制御などの特徴（ｆｅａｔｕｒｅｓ）を含む。ユーザインタフェースは、ホームスクリーン上のタブを介してアクセス可能な複数のサブスクリーンを含むことができる。ユーザインタフェースの使いやすさを容易にするために、ユーザインタフェースの特徴を様々なサブスクリーンに配置することができる。しかしながら、特徴が配置される方法（例えば、別のユーザまたは工場出荷時の設定）は、ユーザにとって望ましくない場合がある。したがって、例えば、様々なサブスクリーンにおけるユーザインタフェースの特徴を再配置することによるユーザインタフェースを再構成する能力は、ユーザの使いやすさおよび効率を高めることができる。
【００４１】
再構成可能なユーザインタフェースは、ユーザが異なるユーザインタフェースを有し得る複数の透析装置で途切れることなく作業することを可能にする。異なる製造業者によって製造されているか、または同じ製造業者によって製造されているが異なるモデルを有している透析装置は、初期設定により異なるユーザインタフェースの全てを有し得る。例えば、施設３００での透析装置３０５ａ〜ｄは、異なるユーザインタフェースを有することができる。しかしながら、ユーザが好みのユーザインタフェース設定を再構成して保存し、それらを複数の透析装置３０５ａ〜３０５ｄで使用することができれば、ユーザは使い慣れたインタフェースを使用しながら、透析装置から透析装置に途切れることなく移動することができる。
【００４２】
別の例として、緊急時（例えば、アラーム中）に、ユーザは、できるだけ早く（例えば、患者の健康リスクに対処するために）応答する必要があり得る。応答プロセスを迅速化するために、迅速な応答用に透析装置のユーザインタフェースを再構成することができる。例えば、所与の緊急事態に対して、緊急事態を解決するために使用することができる動作パラメータおよび制御を表示するようにユーザインタフェースを再構成することができる。
【００４３】
図４Ａは、透析システムのディスプレイ上に表示される標準的なユーザインタフェース４００の例を示す。ユーザインタフェースは、様々なサブスクリーンへのタブ、例えば、ホームサブスクリーン４４０へのタブおよびＫｔ／Ｖ  ＡＦサブスクリーン４５０へのタブを含む。ホームサブスクリーンは、通常、ユーザがユーザインタフェースにログインするときに提示される。ホームサブスクリーンは、限外濾過特徴４２０、透析液に関連する特徴４３０および透析プロセスに関連する様々な圧力情報４１０を含むことができる。Ｋｔ／Ｖ  ＡＦサブスクリーン４５０は、透析処置の妥当性に関連するユーザインタフェース特徴を含む。Ｋｔ／Ｖ  ＡＦに関連する特徴には、Ｋｔ／Ｖ  Ａｆタブからアクセスできる。
【００４４】
しかしながら、ユーザは、Ｋｔ／Ｖ  ＡＦサブスクリーンにおいてではなく、ホームサブスクリーンに表示されたＫｔ／Ｖ  ＡＦに関連する特徴を有することを望む場合がある。これは、ユーザがＫｔ／Ｖ  ＡＦの特徴を使用することが多く、利便性のためにホームスクリーンに表示させたいからである。ユーザは、例えば、ディスプレイ１１８／２１８のタッチスクリーンを介して、またはコントロールパネル１２０／２２０を介して、ユーザインタフェースを再構成することによって、これを達成することができる。ユーザは、前述したように、データベース内のユーザインタフェース構成プロファイルの変更として、ユーザインタフェースにおける変更を保存することを選択することができる。その結果、ユーザが将来、透析システム（またはユーザインタフェース構成プロファイルのデータベースを共有する施設内の他の透析システム）にログインすると、ホームサブスクリーンにＫｔ／Ｖ  ＡＦに関連する特徴が含まれるであろう。図４Ｂは、Ｋｔ／Ｖ  ＡＦ特徴を表示するように再構成されたユーザインタフェース４００のホームスクリーンを示す。例えば、限外濾過特徴４２０はＫｔ／Ｖ  ＡＦ特徴４６０に置き換えられている。
【００４５】
図５Ａは、アラーム中の標準的なユーザインタフェース５００のホームサブスクリーンの例を示す。この例では、アラームは、透析液の導電率５１０の望ましくない値によってトリガされる。アラームが発生した場合、透析システムの使用者（例えば、看護師）からの即座の注意が必要となることがある。アラームを解決するためには、看護師が透析液の血漿ナトリウム値および透析液の導電率５１０を参照することが重要である。しかしながら、血漿ナトリウム値はＫｔ／Ｖ  ＡＦのサブスクリーンに表示されている。したがって、看護師がホームスクリーンからアラームの解決を行うことは、例えば、別のスクリーンに入るといった貴重な時間を費やすことなしでは、困難になる可能性がある。
【００４６】
図５Ｂは、ユーザ（例えば、看護師）によって再構成され、透析液の導電率５１０の値とともに血漿ナトリウム値５２０を表示するユーザインタフェース５００のホームサブスクリーンの例を示す。したがって、ユーザは、血漿ナトリウム値５２０と導電率５１０の値の両方を同時に参照することができる。この再設定はユーザに関連し、ユーザがこの特定の透析装置を使用するたびに行われるので、ユーザがアラームに反応する能力が向上する。
【００４７】
図６は、図１および図２で説明した透析システムのユーザインタフェースを再構成するプロセスを説明するフローチャート６００を示す。最初に、透析システムに近接して来るユーザの識別が決定される（６０２）。ユーザは、通信モジュールであって、ユーザに関連付けられた短距離無線デバイスと通信してユーザの識別に関連する情報を検出する通信モジュール（例えば、図１に示される通信モジュール１０７、または図２に示される通信モジュール２０７）によって識別され得る。ユーザの識別に関連する情報は、例えば、顔認識、掌紋及び虹彩認識を含むことができる生体認証プロセスによっても取得することができる。通信モジュール１０７／２０７は、ユーザの識別に関連する情報を制御ユニット（例えば、図１に示す制御ユニット１０１または図２に示す制御ユニット２０１）に通信する。
【００４８】
制御ユニット１０１または制御ユニット２０１は、ユーザの識別に関連する情報を受信すると、ユーザインタフェース構成プロファイルのデータベースからユーザに関連するユーザインタフェース構成プロファイルにアクセスする（６０４）。データベースは、透析システム１００または透析システム２００に関連する記憶デバイスに記憶することができ、または外部記憶デバイス（例えば、異なる透析システムに関連するサーバまたは記憶デバイス）に配置することができる。アクセスされたユーザインタフェース構成プロファイルに基づいて、制御ユニット１０１または制御ユニット２０１は、ディスプレイ１１８またはディスプレイ２１８にユーザインタフェースを表示させる（６０６）。
【００４９】
図７は、例示的なコンピュータシステム７００のブロック図である。例えば、図１および図２を参照すると、制御ユニット１０１または制御ユニット２０１は、ここで説明するシステム７００の一例である。システム７００は、プロセッサ７１０、メモリ７２０、記憶デバイス７３０、および入力／出力インタフェース７４０を含む。構成要素７１０、７２０、７３０、および７４０の各々は、例えばシステムバス７５０を使用して相互接続されていてもよい。プロセッサ７１０は、システム７００内での実行のための命令を処理することができる。プロセッサ７１０は、シングルスレッドプロセッサ、マルチスレッドプロセッサ、または量子コンピュータであってもよい。プロセッサ７１０は、メモリ７２０または記憶デバイス７３０に記憶された命令を処理することができる。プロセッサ７１０は、検出要素（例えば、図１に示す通信モジュール１０７または図２に示す通信モジュール２０７）からの信号を受信して、同信号に基づくデータを記憶されているデータ（例えば温度値のルックアップテーブルに記憶されたデータ）と比較するというような動作を実行し得る。
【００５０】
メモリ７２０は、システム７００内の情報を記憶する。いくつかの実装形態では、メモリ７２０は、コンピュータ可読媒体である。メモリ７２０は、例えば、揮発性メモリユニットまたは不揮発性メモリユニットであってもよい。
【００５１】
記憶デバイス７３０は、システム７００に対して大容量のストレージを提供することができる。いくつかの実装形態では、記憶デバイス７３０は、非一時的なコンピュータ可読媒体である。記憶デバイス７３０は、例えば、ハードディスクデバイス、光ディスクデバイス、ソリッドデートドライブ、フラッシュドライブ、磁気テープ、またはその他の大容量記憶デバイスを含むことができる。記憶デバイス７３０は、代替的に、クラウド記憶デバイス（例えば、ネットワーク上に分散され、ネットワークを使用してアクセスされる複数の物理記憶デバイスを含む論理記憶デバイス）であってもよい。
【００５２】
入力／出力インタフェース７４０は、システム７００のための入力／出力動作を提供する。いくつかの実装形態では、入力／出力インタフェース７４０は、ネットワークインタフェースデバイス（例えば、イーサネット（登録商標）カード）、シリアル通信デバイス（例えば、ＲＳ−２３２  １０ポート）、および／または無線インタフェースデバイス（例えば、８０２．１１カード、３Ｇ無線モデム、または４Ｇ無線モデム）の１つまたは複数を含む。いくつかの実装形態では、入力／出力デバイスは、入力データを受信し、出力データを他の入力／出力デバイス（例えばキーボード、プリンタおよびディスプレイデバイス１１８／２１８）に送信するように構成されたドライバデバイスを含む。いくつかの実装形態では、モバイルコンピューティングデバイス、モバイル通信デバイスおよび他のデバイスが使用される。
【００５３】
いくつかの実装形態では、入力／出力インタフェース７４０は、少なくとも１つのアナログ／デジタル変換器７４１を含む。アナログ／デジタル変換器は、アナログ信号をデジタル信号（例えばプロセッサ７００による処理に適したデジタル信号）に変換する。いくつかの実装形態では、１つまたは複数の検出要素（例えば、図１に示す通信モジュール１０７または図２に示す通信モジュール２０７）は、アナログ−デジタル変換器７４１と通信している。
【００５４】
いくつかの実装形態では、システム７００はマイクロコントローラである。マイクロコントローラは、単一のエレクトロニクスパッケージ内にコンピュータシステムの複数の要素を含むデバイスである。例えば、単一のエレクトロニクスパッケージは、プロセッサ７１０、メモリ７２０、記憶デバイス７３０、および入力／出力インタフェース７４０を含むことができる。
【００５５】
例示的な処理システムは図７に記載されているが、上述した主題および機能動作の実装形態は、本明細書に記載された構造およびそれらの構造的同等物、或いはそれらの１つ以上の組み合わせを含む、他のタイプのデジタル電子回路、またはコンピュータソフトウェア、ファームウェア、またはハードウェアに実装されてもよい。本明細書に記載された主題の実装形態は、例えばコンピュータ可読媒体のような具体的なプログラム担体に符号化されて、処理システムによって実行される、または処理システムの動作を制御する、１つまたは複数のコンピュータプログラム製品として、すなわちコンピュータプログラム命令の１つまたは複数のモジュールとして実装され得る。コンピュータ可読媒体は、機械可読記憶デバイス、機械可読記憶基板、メモリデバイス、機械可読伝搬信号をもたらす物質の組成、またはそれらの１つ以上の組み合わせであり得る。
【００５６】
「コンピュータシステム」なる用語は、例えば、プログラム可能なプロセッサ、コンピュータ、または複数のプロセッサまたはコンピュータを含む、データを処理するためのすべての装置、デバイス、および機器を包含することができる。処理システムは、ハードウェアに加えて、問題のコンピュータプログラムの実行環境を生成するコード、例えば、プロセッサファームウェア、プロトコルスタック、データベース管理システム、オペレーティングシステム、またはそれらの１つ若しくは複数の組み合わせを構成するコードを含むことができる。
【００５７】
コンピュータプログラム（プログラム、ソフトウェア、ソフトウェアアプリケーション、スクリプト、実行可能なロジックまたはコードとしても知られる）は、コンパイラ型言語またはインタプリタ型言語、宣言型言語または手続き型言語を含む、任意の形態のプログラミング言語で書かれていてもよく、スタンドアローンプログラムとして、またはコンピューティング環境内での使用に適したモジュール、コンポーネント、サブルーチン、もしくはその他のユニットとしてなど、任意の形態で配備されることが可能である。コンピュータプログラムは、ファイルシステム内のファイルに必ずしも対応していなくてもよい。プログラムは、他のプログラムまたはデータ（例えば、マークアップ言語ドキュメントに記憶された１つまたは複数のスクリプト）を保持するファイルの一部、当該プログラム専用の単一のファイル、または複数の連携ファイル（例えば、１つまたは複数のモジュール、サブプログラム、またはコードの一部を記憶するファイル）に記憶され得る。コンピュータプログラムは、１つのコンピュータ上で実行されるように配置されてもよく、あるいは１つのサイトに位置する、または複数のサイトに分散して通信ネットワークによって相互接続された複数のコンピュータ上で実行されるように配置されてもよい。
【００５８】
コンピュータプログラム命令およびデータを記憶するのに適したコンピュータ可読媒体には、例えば、ＥＰＲＯＭ、ＥＥＰＲＯＭおよびフラッシュメモリデバイスなどの半導体メモリデバイス、磁気ディスク（例えば、内部ハードディスクまたはリムーバブルディスクまたは磁気テープ）、光磁気ディスク、およびＣＤ−ＲＯＭおよびＤＶＤ−ＲＯＭディスクを含むすべての形態の不揮発性または揮発性メモリ、媒体およびメモリデバイスが含まれる。プロセッサおよびメモリは、専用論理回路によって補完または組み込むことができる。システムのコンポーネントは、任意の形式または媒体のデジタルデータ通信（例えば、通信ネットワーク）によって相互接続することができる。通信ネットワークの例には、ローカルエリアネットワーク（ＬＡＮ）およびワイドエリアネットワーク（ＷＡＮ）、例えばインターネット、が含まれる。
【００５９】
本発明の多くの実施形態について説明した。それにもかかわらず、本発明の精神および範囲から逸脱することなく様々な変更がなされ得ることが理解されるであろう。したがって、他の実施形態は添付の特許請求の範囲内にある。
【図１】
2018538049.tif 000003
【図２】
2018538049.tif 000004
【図３】
2018538049.tif 000005
【図４Ａ】
2018538049.tif 000006
【図４Ｂ】
2018538049.tif 000007
【図５Ａ】
2018538049.tif 000008
【図５Ｂ】
2018538049.tif 000009
【図６】
2018538049.tif 000010
【図７】
2018538049.tif 000011
【国際調査報告】
2018538049.tif 000012
2018538049.tif 000013
2018538049.tif 000014